(57)【特許請求の範囲】
【請求項１】
流体を噴射するヘッド部及びパイプ状の握り部を有するシャワーヘッドと、前記握り部の内部に組み込まれ、かつ該握り部内を流れる流体に混入するための液状溶剤が充填された容器とから成る生物用シャワーヘッドに於いて、前記容器は、前記液状溶剤を入れるための筒状充填部を有する袋状部分と、該袋状部分に連設すると共に前記流体の流れる方向に細長状に延在する排出部分とから成る可撓性容器であり、前記液状溶剤は、使用時、前記可撓性容器に前記流体の流体圧が加わると、前記可撓性容器の材質自体の弾性変位の収縮に対応して前記排出部分から排出される生物用シャワーヘッド。
【請求項２】
請求項１に於いて、パイプ状の握り部に支持孔が形成され、該支持孔には、袋状部分に一体的に突設された筒状充填部がシールされた状態で嵌挿していることを特徴とする生物用シャワーヘッド。
【請求項３】
請求項２に於いて、筒状充填部には、スリットを有する内外の弾性弁から成る逆止弁が設けられていることを特徴とする生物用シャワーヘッド。
【請求項４】
請求項２に於いて、筒状充填部には、逆止弁が設けられていると共に、可撓性接続片を有する栓部が設けられ、該栓部は前記筒状充填部に押し込まれることを特徴とする生物用シャワーヘッド。
【請求項５】
請求項１に於いて、パイプ状の握り部には、排出部分を開閉する栓手段が設けられていることを特徴とする生物用シャワーヘッド。
【請求項６】
請求項１に於いて、細長状排出部分は、パイプ状の握り部の内周壁に形成されたオリフィスへと延在していることを特徴とする生物用シャワーヘッド。
【請求項７】
請求項１に於いて、液状溶剤を入れるための筒状充填部は、袋状部分の筒状後端部であり、該筒状後端部には、流体用案内孔を有する蓋体が一体的に嵌合し、さらに、該蓋体は、前記筒状後端部に螺着する継手に支持されていることを特徴とする生物用シャワーヘッド。
【請求項８】
請求項１に於いて、液状溶剤を入れるための筒状充填部を有する袋状部分及び細長状の排出部分を有する容器は、複数個存在し、前記細長状の排出部分は、パイプ状の握り部に形成された支持孔に、前記筒状充填部がシールされた状態で嵌挿していることを特徴とする生物用シャワーヘッド。
【請求項９】
請求項１に於いて、細長状に延在する排出部分が、袋状部分の内部にも延在していることを特徴とする生物用シャワーヘッド。
【発明の詳細な説明】
【技術分野】
【０００１】
本発明は、植物や愛玩動物や人間に使用することができる生物用シャワーヘッドに関する。
【背景技術】
【０００２】
特許文献１の発明の課題は、物流システムとして、特に、食品加工における食品材料の供給搬送のシステムとして、安全に効率良く迅速に供給搬送でき自動供給装置を実現化することである。該発明の課題を達成する手段として、液状物自動供給装置は、（イ）耐圧性であって、上方に流体流入口が設けられた剛性外側容器、（ロ）外側容器本体内に収納され、上端開口を外側容器の上部開口と連通された可撓性の内側容器、（ハ）外側容器と内側容器との空間に加圧流体を供給する圧力伝達機構、及び（ニ）外側容器の上部開口に連通された内側容器上端開口に取り付けられ、収納内容物を排出する内容物供給機構からなり、そして、（ａ）前記内側容器は、圧力差により収縮自在の可撓性の容器であること、（ｂ）  収納内容物は、醤油、ソ−ス、油類、マヨネ−ズ、ケチャップ、クリ−ムなどより選ばれた液状食品であること、（ｃ）  圧力伝達機構が、コンプレッサ−と、エアドライヤ−と、タンクとからなる加圧システムであり、圧力伝達媒体が液体であること等が記載されている。
【０００３】
また、特許文献２の発明の課題は、液体肥料を適切に撒布するアクアガンを提供することである。該発明の課題を達成する手段として、アクアガンは、ガン本体１１のノズル部２２及び中間部材２１で、握持部１２に供給された水道水を導く導水路２３を構成し、前記中間部材２１のボトル取付部３１に、液体肥料３６を収容したペットボトル３４を取り付けると共に、該中間部材２１に狭小部４１を設けて導水路２３の経路を狭め、ベルヌーイ効果によって液体肥料３６を吸い上げて水道水に混合する事項が記載されている（符号は特許文献２のもの）。
【０００４】
さらに、特許文献３には、浴室等においてミストシャワーを浴びることにより発汗を促し、或いは逆に身体を優しく冷却する等して、健康効果や美容効果を得ることができることに着目して、シャワーヘッドのノズル部１１を改良すると共に、ミストヘッド本体１の給湯路４における給湯口２下流に添加剤カートリッジ３３が温水の流通可能に螺着され、該添加剤カートリッジ３３内には香料その他の種々の添加剤３４が温水との接触により溶出可能に収容される旨が記載されている（段落０００２、段落００２０、図１、符号は特許文献３のもの）。
【０００５】
しかしながら、上記特許文献１と２は、室内・室外を問わず、植物や愛玩動物や人間の洗浄効果、健康効果、美容効果等を得るために、農薬洗浄剤、シャンプー、バスソルト等の液状溶剤を、シャワーホースを通過する流体（特に、水道水）の流体圧を利用して、該流体に前記液状溶剤を自動的に混合して、シャワーヘッドから噴射することを、発明の所期の課題とするものではない。
【０００６】
また特許文献３は、人間の健康効果、美容効果等を得ることを目的とし、また給水水圧は、家庭内で使用される水道水であるものの、水道水に混入する溶剤は、シャワーヘッドの取付け基端部内に嵌入される添加剤３４であり、かつ温水との接触により溶出可能な短柱状の固形物であることから、溶剤が、農薬洗浄剤、シャンプー、バスソルト等の液状溶剤、及びこれに類する流動物を適用し難いものである。それは、液状溶剤や流動物をシャワーヘッドの取付け基端部内に嵌入すると、使用時、給水水圧によって、直ぐにノズル部から噴射されるからである。
【先行技術文献】
【特許文献】
【０００７】
【特許文献１】特開２０００−１２８２５９号公報
【特許文献２】特開２００２−２２４５９１号公報
【特許文献３】特開２００７−２０８５４号公報
【発明の概要】
【発明が解決しようとする課題】
【０００８】
本発明の所期の目的は、室内・室外を問わず、植物や動物や人間の洗浄効果、美容効果・衛生効果等を得るために、農薬洗浄剤、シャンプー、バスソルト等の可撓性の容器内の液状溶剤を、シャワーヘッドを通過する流体（特に、水道水）の流体圧を利用して、該流体に前記液状溶剤を自動的に混合して噴射することである。望ましくは、野菜を洗浄する台所、或いは愛玩動物の美容を行うペットショプ、普通一般の病院、老人用介護施設、美容院等で、水道水の水圧を利用して、野菜、愛玩動物、入院患者、老人、顧客等の生物（動物や植物）に対して、洗浄液やシャワーを浴びさせる際に、可能な限り、衛生面での洗浄や清潔的効果、人に対してはリラックス面での入浴効果或いは美容効果を容易に得ることである。第２の目的は、容器内の液状溶剤が減った場合には、簡単に補充することができることである。第３の目的は、栓手段により、単なる水道水（水、お湯）と混合液とを簡単に切り替えことができることである。第４の目的は、「ベルヌーイの効果」を利用することにより流体による吸引効果を高め、半流動体液状の溶剤を、可撓性容器の細長状の排出部分からスムースに出るようにすることである。第５の目的は、台所・美容室・浴室のいずれかの蛇口に連結することにより、室内で手軽に利用することができることである。その他、実施形態によっては、容器内の液状溶剤を極力最後まで使い切ること、可撓性容器を２点以上で確実に支持することができることなどである。
【課題を解決するための手段】
【０００９】
本発明の生物用シャワーヘッドは、流体を噴射するヘッド部及びパイプ状の握り部を有するシャワーヘッドと、前記握り部の内部に組み込まれ、かつ該握り部内を流れる流体に混入するための液状溶剤が充填された容器とから成る生物用シャワーヘッドに於いて、前記容器は、前記液状溶剤を入れるための筒状充填部を有する袋状部分と、該袋状部分に連設すると共に前記流体の流れる方向に細長状に延在する排出部分とから成る可撓性容器であり、前記液状溶剤は、使用時、前記可撓性容器に前記流体の流体圧が加わると、前記可撓性容器の材質自体の弾性変位の収縮に対応して前記排出部分から排出されることを特徴とする。
【００１０】
上記構成に於いて、パイプ状の握り部に支持孔が形成され、該支持孔には、袋状部分に一体的に突設された筒状充填部がシールされた状態で嵌挿していることを特徴とする。また筒状充填部内には、スリットを有する内外の弾性弁から成る逆止弁が設けられていることを特徴とする。また、筒状充填部には、逆止弁が設けられていると共に、可撓性接続片を有する栓部が設けられ、該栓部は前記筒状充填部に押し込まれることを特徴とする。また、パイプ状の握り部には、排出部分を開閉する栓手段が設けられていることを特徴とするド。また、細長状排出部分は、パイプ状の握り部の内周壁に形成されたオリフィスへと延在していることを特徴とする。また、液状溶剤を入れるための筒状充填部は、袋状部分の筒状後端部であり、該筒状後端部には、流体用案内孔を有する蓋体が一体的に嵌合し、さらに、該蓋体は、前記筒状後端部に螺着する継手に支持されることを特徴とする。さらに、液状溶剤を入れるための筒状充填部を有する袋状部分及び細長状の排出部分を有する容器は、複数個存在し、前記細長状の排出部分は、パイプ状の握り部に形成された支持孔に、前記筒状充填部がシールされた状態で嵌挿していることを特徴とする。
【００１１】
ここで、「液状溶剤」とは、普通一般のシャンプー、ボティーシャンプー、リンス、バスソルト等の化粧品、普通名称で称されている流動物や半流動物のみならず、これに類する香料溶剤、ピタミン溶剤も含まれる。またここで、「動物」には、人間も含まれる。
【発明の効果】
【００１２】
（ａ）請求項１に記載の発明は、室内・室外を問わず、生物、例えば台所で野菜に付着した農薬を洗い落とす際、或いは人間、特に介護をするのに大変な重労働がかかる人に対して、衛生効果、リラックス効果、香りの効果等を得るために、シャンプー、バスソルト、香水等の液状溶剤を、シャワーヘッドを通過する流体（特に、水道水）の流体圧を利用して、該流体に前記液状溶剤を自動的に混合して、ヘッド部から噴射することができる。また袋状部分は、液状溶剤を入れるための筒状充填部を有するので、液状溶剤を簡単に補充することができる。
（ｂ）請求項２に記載の発明は、例えば注射方式で外部から液状溶剤を簡単に補充することができるので、充填する度に、容器をシャワーヘッドの握り部から取り外す必要がない。付言すると、充填に手間がかからない。
（ｃ）請求項３に記載の発明は、充填の際、容器から液状溶剤が漏れ出すことがない。
（ｄ）請求項４並びに請求項５に記載の発明も、それぞれ請求項３に記載の発明と同様の効果がある。また請求項５に記載の発明は、栓手段を操作することにより、単なる水道水（水、お湯）と混合液とを簡単に切り替えことができる。
（ｅ）請求項６に記載の発明は、ベルヌーイの効果を利用することにより、流体による吸引効果を高めることができる。したがって、液状溶剤が、例えば練状の半流動体であって、容器の細長状排出部分を可能な限り細く（孔径を小さく）しても、内容物がスムースに流れ出る。
（ｆ）請求項７に記載の発明は、多少、手間がかかるものの、容器本体をシャワーヘッドの握り部から取り外さないで、所望するように液状溶剤を補充することができる。
（ｇ）請求項８に記載の発明は、異なる種類の液状溶剤をそれぞれ充填することができる。例えば一つの容器にシャンプーを充填し、他の容器にバスソルトを充填して使用することができる。
（ｈ）請求項９に記載の発明は、容器内の液状溶剤を極力最後まで使い切ることができる。
（ｉ）その他、業務用、家庭用の如何を問わず、室内・室外で手軽に利用することができる。また、可撓性容器を２点以上で確実に支持することができる。
【図面の簡単な説明】
【００１３】
図１乃至図１０は本発明の第１実施形態を示す各説明図。他の実施形態は、第１実施形態の図面等を援用する場合もある。
【図１】浴室で使用（シャワー室の場合も含む）する実施形態の概略説明図。
【図２】第１実施形態の斜視からの概略説明図。
【図３】要部の斜視からの概略説明図。
【図４】概略縦断面説明図。
【図５】図４の５−５線断面図。
【図６】図４の６−６線断面図。
【図７】可撓性接続片の栓部を開いて、外部から液状溶剤を充填する概略説明図。
【図８】使用時、栓手段が排出部分を閉じた状態の説明図。
【図９】使用時、栓手段を操作して排出部分を開いた状態の説明図。
【図１０】加圧・収縮・排出・混入・噴射の概略説明図。
【図１１】オリフィスを加味した第２実施形態の説明図。
【図１２】可撓性の容器が複数個である第３実施形態の説明図。
【図１３】細長状排出部分が袋状部分の内部にも延在している第４実施形態の説明図。
【図１４】第４実施形態の容器の構成を示す斜視図。
【図１５】筒状充填部が異なる第５実施形態の概略説明図。
【図１６】筒状充填部の概略断面説明図。
【図１７】筒状充填部の分解斜視図。
【図１８】容器が異なる第６実施形態の斜視からの概略説明図。
【図１９】第６実施形態の概略説明図。
【図２０】第６実施形態の概略説明図。
【図２１】図１９の２１−２１線断面図。
【図２２】図１９の２２−２２線断面図。
【図２３】第６実施形態の容器の分解斜視図。
【発明を実施するための最良の形態】
【００１４】
以下、図１乃至図１０に示す本発明を実施するための最良の形態（第１実施形態）により説明する。また、図１１乃至図２３は他の実施形態である。この欄では、第１実施形態のみを説明する。
【００１５】
図１は、浴槽２を有する浴室１で使用（シャワー室のみでの使用する場合も含む）する実施形態の概略説明図である。図１に於いて、本発明の生物用シャワーヘッドＸは、その内部に液状物供給容器Ｙを有している。周知のように、浴室１内には蛇口３が設けられ、該蛇口３にはシャワーホース４の基端部が取り付けられ、その自由端部に本発明の液状物供給容器Ｙ（以下、「容器」という。）を有するシャワーヘッドＸが取り付けられる。したがって、浴室１、蛇口３、シャワーホース４、シャワーヘッドＸを係止する係止片６は、それぞれ発明の本質的事項ではない。付言すると、シャワーヘッドＸを製造、販売、使用等をする行為が直接侵害を構成する。
【００１６】
本発明の生物用シャワーヘッドは、公知の特許文献との関係から、例えば図２で示すように、流体を噴射するヘッド部７及びパイプ状の握り部８を有するシャワーヘッドＸと、前記握り部８の内部に組み込まれ、かつ該握り部内を流れる流体に混入するための液状溶剤が充填された容器Ｙとから成る。
【００１７】
そして、本発明は、前記容器Ｙが要部であり、該要部は、図３で示すように、液状溶剤を入れるための筒状充填部１０を有する長尺状の袋状部分１１と、該袋状部分に連設すると共に前記流体の流れる方向に細長状に延在する排出部分１２とから成る可撓性容器である。
【００１８】
袋状部分１１内の液状溶剤は、使用時、前記可撓性容器Ｙに前記流体の流体圧が加わると、前記可撓性容器の材質自体の弾性変位の収縮に対応して前記排出部分１２から排出される。そして、前記排出部分１２は、後述する栓手段３１で開閉され、該栓手段３１はパイプ状の握り部８の先端部側に取付けられている。
【００１９】
次に、図４は概略縦断面説明図、図５は図４の５−５線断面図、図６は図４の６−６線断面図である。図４では、図面上、パイプ状握り部８を縦方向に描いる。したがって、パイプ状握り部８の上端部の螺合部（連結部としてのメネジ）８ａにヘッド部７の螺合部（オネジ）７ｂが螺着（連結）する。一方、パイプ状握り部８の下端部に形成された連結部８ｂにシャワーホース４の自由端部が連結する。
【００２０】
しかして、１３は連結部８ｂ側の導入口で、該導入口１３には、例えば蛇口３から供給される流体（水道水や温水）ａが入り込む。また、１４はパイプ状の握り部８の連結部８ｂ寄りの部位に形成された第１の支持孔で、該第１支持孔１４には、容器Ｙの筒状充填部１０がシールされた状態で嵌挿する。さらに、１５はパイプ状握り部８の上端部寄りの部位に形成された第２の支持孔（例えばメネジ孔）で、この第２支持孔１５には、栓手段３１の外端部が取り付けられている。
【００２１】
したがって、容器Ｙは、第１支持孔１４及び第２支持孔１５を介して、かつパイプ状握り部８に沿って該パイプ状握り部に固定的に内装されている。また、容器Ｙの外周とパイプ状握り部８の内周との間には、流体通過用の間隙１７が設定されている。
【００２２】
さらに、ヘッド部７は、前述した螺合部（オネジ）７ｂと、これに弧状に連設する噴射部７ａとから成り、パイプ状握り部８の螺合部（メネジ）８ａに螺着する。
【００２３】
したがって、図面上、パイプ状握り部８の上端部側が流体用の送出口１６と成り、該送出口１６から混合液ｃをヘッド７側に圧送することが可能である。付言すると、容器Ｙ内に充填された液状溶剤ｂが、栓手段３１の開閉如何により、容器Ｙの排出部分１２から排出され、パイプ状握り部８を流れる流体ａに混入して混合液ｃとなり、該混合液ｃがヘッド７側に圧送される（図９参照）。
【００２４】
ところで、栓手段３１の操作部は、摘み回転式、摘みスライド式等を任意に採用することができるが、本実施形態では、プッシュ式を採用している。また、下端の連結部８ａ側の導入口１３と上端の連結部８ａ側の送出口１６は、同一線上（同じ方向）に位置している。これに対して、第１支持孔１４及び第２支持孔１５は、前記導入口１３及び送出口１６にそれぞれ直交している。なお、パイプ状の握り部８は、硬質の合成樹脂材で成形されている。
【００２５】
容器Ｙの筒状充填部１０は、袋状部分１１の後端部に一体的に突設され、前述した第１支持孔１４にシールされた状態で嵌挿している。この実施形態の筒状充填部１０は、例えば内端部に逆止弁１０ａを有すると共に、外端部に可撓性接続片を有する栓部１０ｂが設けられ、該栓部１０ｂは前記筒状充填部１０に押し込まれる。このような構成は、例えば特許第３５６４５４５号（空気袋用の空気栓）の図４に記載されているが、このような公知又は図示しない新規の構成が適宜に採用される。
【００２６】
容器Ｙの栓手段３１は、望ましくは該容器Ｙの排出部分１２を支持すると共に、容器Ｙ内に充填された液状溶剤ｂの量を調整するために用いられている（開閉弁機能と調整弁機能）。
【００２７】
図６は、栓手段３１の概略断面説明図である。この図に於いて、３２は棒状体の外端部に操作摘み３２ａを有し、一方、棒状体の内端部にリング状の係止部分３２ｂを有する栓本体で、この栓本体３２は第２支持孔１５に螺着した筒状螺合体３３に貫通状態に嵌挿されていると共に、前記棒状体に巻装された付勢バネ３４のバネ力により、常に矢印Ａの外方向に付勢されている。したがって、常態では、容器の排出部分１２は前記リング状の係止部分３２ｂで閉鎖状態となっている。なお、前記第２支持孔１５は、望ましくは図示しないパッキン等の部材により、適宜にシールされている。
【００２８】
次に、容器Ｙについて説明する。容器Ｙは、軟質のプラスチック袋、軟質ゴム製の袋、これらに類する可撓性素材の袋が使用されている。図５は図４の４−４線断面図である。この図面の左側に筒状充填部１０が描かれている。筒状充填部１０は、例えば接着層１８を介して第１支持孔１４にシール状に支持されている。例えば図３で示すように、１１は液状溶剤ｂを収納する袋状部分、１２は該袋状部分に連設する細長状の排出部分（管状部分）である。この細長状排出部分１２の形態に関しては、例えば先端部に至るに従って先細り状に形成しても良い。容器Ｙの大きさ、長さ、排出部分の先端部の形状、容器の数等は、任意に設計変更することができる事項である。
【００２９】
次に、容器Ｙへの内容物の充填について説明する。図７は、可撓性接続片の栓部を開いて、外部容器Ｚを介してパイプ状の握り部８内の容器Ｙに液状溶剤ｂを充填する概略説明図である。充填時、容器Ｙの排出部分１２は、栓手段３１のリング状係止部分３２ｂで閉止されている。外部容器Ｚの液状溶剤ｂを容器Ｙの袋状部分１１に充填する際には、筒状充填部１０の栓部１０ｂを手で開き、外部容器Ｚの先細り状先端部を、図で示すように筒状充填部１０に差し込む。そして、外部容器Ｚを手で絞るようにすると、該外部容器Ｚ内の液状溶剤ｂは可撓性の逆止弁１０ａを介して容器Ｙに注入される。
【００３０】
次に、図８は、使用時、栓手段３１が排出部分１２を閉じた状態の説明図である。図８で示すように、袋状部分１１が栓手段３１の係止部分３２ｂで閉止されている場合には、容器Ｙに流体圧が作用しても、容器Ｙは弾性変位することができないので、導入口１３に入り込んだ流体ａは、間隙１７を通過し、そのまま送出口１６を通過する。これに対して、図９は、使用時、栓手段３１の栓体３２をバネ力に抗してプッシュ操作し、排出部分１２を開いた状態の説明図である。また図１０は、加圧・収縮・排出・混入・噴射の概略説明図である。
【００３１】
特に、図１０は、流体ａの流体圧が容器Ｙに加わる点、容器Ｙが材質自体の弾性変位により収縮する点、容器Ｙが収縮するのに対応して、その細長状の排出部分１２から流路内に液状溶剤ｂが排出される点、混合液ｃがヘッド側に流れる点、そして、シャワーヘッドＸの噴射部（ノズル部分）７ａから混合液ｃが噴射される点（加圧・収縮・排出・混入・噴射）をそれぞれ示した概略説明図である。
【００３２】
このように、本発明の生物用シャワーヘッドは、流体を噴射するヘッド部７及びパイプ状の握り部８を有するシャワーヘッドＸと、前記握り部８の内部に組み込まれ、かつ該握り部内を流れる流体に混入するための液状溶剤ｂが充填された容器Ｙとから成る生物用シャワーヘッドに於いて、前記容器Ｙは、前記液状溶剤ｂを入れるための筒状充填部１０を有する袋状部分１１と、該袋状部分に連設すると共に前記流体ａの流れる方向に細長状に延在する排出部分１２とから成る可撓性容器であり、前記液状溶剤ｂは、使用時、前記可撓性容器に前記流体ａの流体圧が加わると、前記可撓性容器の材質自体の弾性変位の収縮に対応して前記排出部分１２から排出され、流路を流れる流体（水やお湯）に混入する（特徴事項）。
【実施例】
【００３３】
この欄では、図１１乃至図２３に示す第２実施形態等を説明する。なお、これらの実施形態を説明するにあたって、第１実施形態と同一の部分には、同一又は同様の符号を付して重複する説明を割愛する。
【００３４】
まず図１１は、オリフィスを加味した第２実施形態の説明図である。この第２実施形態では、パイプ状の握り部８Ａの先端連結部８ａ寄りの部位の内周壁にオリフィス２１を形成し、容器Ｙの細長状の排出部分１２が、該オリフィス２１へと延在している。
このように構成すると、ベルヌーイの効果を利用することができるので、流体による吸引効果を高めることができる。したがって、液状溶剤が、例えば練状の半流動体であって、かつ可撓性容器の細長状の排出部分１２を可能な限り細く（孔径を小さく）しても、内容物がスムースに出るようにすることができる。
【００３５】
次に図１２は、可撓性の容器Ｙ１、Ｙ１が複数個である第３実施形態の説明図である。この第３実施形態の可撓性の容器Ｙ１、Ｙ１は、いわば第１実施形態の容器Ｙと構成が同様なものを合計２個用いたが、もちろん、当業者が実施可能の範囲内で、容器Ｙ１の形態を適宜に変更しても良く、また３個や４個であっても良い。さらに、複数の容器Ｙ１、Ｙ１は、一体成形されていても良い。このように構成すると、各容器Ｙ１、Ｙ１に異なる溶剤を入れることができる。
【００３６】
次に図１３は、細長状排出部分が袋状部分の内部にも延在している第４実施形態の説明図である。この第４実施形態の容器Ｙ２は、内容物（液状溶剤）を可能な限り排出することを目的とした構成である。そこで、容器Ｙ２は、長尺状の袋状部分１１Ａと、ストロー状の排出部分１２Ａとから成り、前記ストロー状排出部分１２Ａの中間部（中間部寄りの部位も含む）は、前記袋状部分１１Ａの首部分の内周壁に溶着されている。この実施形態では、袋状部分の内部に延在している細長状部分の一部又は全部も袋状部分１１Ａの内壁の一部又は全部に溶着されている。図１４は第４実施形態の容器Ｙ２の構成を示す斜視図である。第４実施形態の栓手段３１は第１実施形態と同様である。
【００３７】
次に図１５乃至図１７は、筒状充填部が異なる第５実施形態の各説明図である。この第５実施形態の容器Ｙ３の筒状充填部１０Ａは、その内部に組み込まれた逆止弁２３に特徴がある。逆止弁２３は、例えば円形盤状に形成され、かつ中央部に単数（本実施例）又は複数のスリット２４ａを有する内側弾性内弁２４と、この内側弾性内弁２４に密着状態に重なり合うと共に、該内側弾性内弁２４と同一の円盤状に形成され、かつ中央部に単数（本実施例）又は複数のスリット２５ａを有する外側弾性内弁２５とから成り、前記内外のスリット２４ａ、２５ａは、互いに「＋（直交）」状に交差している。逆止弁２３が、少なくとも内外の弾性弁２４、２５から構成されているので、これらの弾性弁２４，２５を収納する筒状充填部１０Ａは、それぞれ不番の注入口を有する内外の筒状螺合体２６、２７を必要としている。    そして、前記内側の筒状螺合体２６は、環状の係止鍔２６ａと、これに連設する螺合部分（メス側）２６ｂとから成り、一方、前記外側の筒状螺合体２６は、環状のフランジ２７ａと、これに連設する螺合部分（オス側）２７ｂとから成り、両者２６，２７は前記弾性弁２４，２５を収納した状態で一体的螺合している。このように構成すると、図示しない注射針のような外部容器を用いて、液状溶剤を容器内に容易に注入することができる。
【００３８】
最後に図１８乃至図２３は、第６実施形態の各説明図である。この６実施形態が第１実施形態と主に異なる点は、（ａ）第２実施形態と同様にオリフィス２１を有する点、（ｂ）容器Ｙ４が異なる点である。オリフィス２１の相違点に関しては、第２実施形態の説明を援用する。
【００３９】
しかして、液状溶剤を入れるための筒状充填部１０Ｂは、袋状部分１１の筒状後端部であり、該筒状後端部には、弧状の流体用案内孔４２，４２を複数有する蓋体４１が一体的に嵌合し、さらに、該蓋体４１は、前記筒状後端部に螺着する継手４３に支持されている。
【００４０】
このように構成すると、充填時、まず、継手４３を外し、次に、蓋体４１を袋状部分１１の筒状後端部から外して液状溶剤を入れることができる。
【産業上の利用可能性】
【００４１】
本発明は、主に病院、老人用介護施設、美容院等で、水道水の水圧を利用して、入院患者、老人、顧客等に対して、シャワーを浴びさせる際に利用される。
【符号の説明】
【００４２】
Ｘ…シャワーヘッド、Ｙ、Ｙ１、Ｙ２、Ｙ３、Ｙ４…可撓性容器、Ｚ…外部容器、ａ…流体、ｂ…液状溶剤、ｃ…混合液、１…浴室、３…蛇口、４…シャワーホース、７…ヘッド部、８、８Ａ…パイプ状の握り部、１０、１０Ａ、１０Ｂ…筒状充填部、１０ａ、２３…逆止弁、１０ｂ…栓部、１１…袋状部分、１２…排出部分、１３…導入口、１４…第１の支持孔、１５…第２の支持孔、１６…送出口、１７…間隙、２１…オリフィス、３１…栓手段、４１…蓋体、４３…継手。
【図１】
0005797006.tif 000002
【図２】
0005797006.tif 000003
【図３】
0005797006.tif 000004
【図４】
0005797006.tif 000005
【図５】
0005797006.tif 000006
【図６】
0005797006.tif 000007
【図７】
0005797006.tif 000008
【図８】
0005797006.tif 000009
【図９】
0005797006.tif 000010
【図１０】
0005797006.tif 000011
【図１１】
0005797006.tif 000012
【図１２】
0005797006.tif 000013
【図１３】
0005797006.tif 000014
【図１４】
0005797006.tif 000015
【図１５】
0005797006.tif 000016
【図１６】
0005797006.tif 000017
【図１７】
0005797006.tif 000018
【図１８】
0005797006.tif 000019
【図１９】
0005797006.tif 000020
【図２０】
0005797006.tif 000021
【図２１】
0005797006.tif 000022
【図２２】
0005797006.tif 000023
【図２３】
0005797006.tif 000024